(57)【要約】      （修正有）【課題】簡単な構造の広告宣伝媒体であって、展示会場などに設置する設置物として様々な形態のものを構築可能な広告宣伝媒体を提供する。【解決手段】広告宣伝媒体１０は、広告宣伝要素が付加された、又は、広告宣伝要素を有するダンボールと、ダンボールに取り付けられたアルミフレームとを備えている。広告宣伝媒体は、アルミフレームに設けた連結部を用いて、複数の広告宣伝媒体を連結した設置物を、アングル３１、３２、小型パネル３３、カーテンレール３４とともに、構築自在に構成されている。【選択図】図４
0003212411.tif 000002
【実用新案登録請求の範囲】
【請求項１】
広告宣伝要素が付加された、又は、広告宣伝要素を有するダンボールと、
前記ダンボールに取り付けられたアルミフレームとを備えた広告宣伝媒体であって、
前記アルミフレームに設けた連結部を用いて、複数の広告宣伝媒体を連結した設置物を構築自在に構成されていることを特徴とする、広告宣伝媒体。
【請求項２】
前記ダンボールは、ダンボールパネルであり、
前記ダンボールパネルの外周に前記アルミフレームが取り付けられ、
前記ダンボールパネルの少なくとも片面に、前記広告宣伝要素として画像が印刷されている、又は、前記広告宣伝要素として構造物が付加されていることを特徴とする、請求項１に記載の広告宣伝媒体。
【請求項３】
前記画像は、インクジェット方式で印刷されていることを特徴とする、請求項２に記載の広告宣伝媒体。
【請求項４】
前記連結部として、オス側連結部とメス側連結部とが準備され、
当該広告宣伝媒体には前記オス側連結部又は前記メス側連結部の一方が設けられ、当該広告宣伝媒体に連結される他の広告宣伝媒体には前記オス側連結部又は前記メス側連結部の他方が設けられ、
前記連結部は、前記オス側連結部を前記メス側連結部に嵌め込む１つの作業によって連結状態となるワンタッチ連結式に構成されていることを特徴とする、請求項１乃至３の何れか１つに記載の広告宣伝媒体。
【請求項５】
前記アルミフレームは、前記ダンボールが嵌め込まれる嵌合溝が形成された第１フレームと、前記第１フレームに取り付けられた中空構造の第２フレームとを備え、
前記第２フレームには、中空の内部空間に繋がる連結口が前記メス側連結部として形成され、
前記オス側連結部は、前記連結口を通じて前記内部空間に挿入されて、前記第２フレームにおける前記連結口の周囲に引っ掛かるフックであることを特徴とする、請求項４に記載の広告宣伝媒体。
【請求項６】
前記アルミフレームには、前記ダンボールが嵌め込まれる嵌合溝が形成され、
前記嵌合溝では、前記アルミフレームと前記ダンボールとの間にスペーサーが設けられていることを特徴とする、請求項１乃至５の何れか１つに記載の広告宣伝媒体。
【請求項７】
前記ダンボールには、防炎性を有するダンボールが用いられていることを特徴とする、請求項１乃至６の何れか１つに記載の広告宣伝媒体。
【考案の詳細な説明】
【技術分野】
【０００１】
本考案は、広告宣伝要素を備えた広告宣伝媒体に関する。
【背景技術】
【０００２】
従来から、展示パネルなど様々なものが広告宣伝媒体として用いられている。また、展示ブースの構築にはパーティションが用いられている。パーティションの材料としては、ボード板やアクリル板、合板などが用いられている。また、特許文献１には、矩形フレームの両側に２枚のサイドパネルが取り付けられた間仕切りパネルが記載されている。この間仕切りパネルの上下の四隅には補強金具がねじによって固定されている。この間仕切りパネルを用いた展示ブースは、ポスターや展示パネルなどの掲示物を設けることで広告宣伝媒体となる。
【０００３】
特許文献２には、プライスボードなどに用いられるパネルが記載されている。このパネルは、フラットなダンボール板の両面を外装シートで覆った後に、外周部分に縦保持枠及び横保持枠が嵌め込まれている。また、特許文献３には、非金属の板材を金属製の枠材で補強した多目的パネルが記載されている。特許文献３には、板材の構造として、単板、合板、中空板、ダンボール構造などが記載されている。
【先行技術文献】
【特許文献】
【０００４】
【特許文献１】特開２０１２−１３６８７０号公報
【特許文献２】特開２０１０−１４３０１８号公報
【特許文献３】特開平４−１４０５９７号公報
【考案の概要】
【考案が解決しようとする課題】
【０００５】
ところで、従来の展示ブース用のパーティションは、ボード板やアクリル板、合板を用いる場合は重量が重くて取り扱いがしにくく、特許文献１の間仕切りパネルは構造が複雑でパネルの製作が容易ではない。また、ダンボールを用いた従来のパネルは、特許文献２のパネルと特許文献３の多目的パネルともに、パネル単体で用いることしか想定されておらず、展示会場などに設置する設置物を自在に構築できるものではない。
【０００６】
本考案は、このような事情に鑑みてなされたものであり、簡単な構造の広告宣伝媒体であって、展示会場などに設置する設置物として様々な形態のものを構築可能な広告宣伝媒体を提供することを目的とする。
【課題を解決するための手段】
【０００７】
上述の課題を解決するべく、第１の考案は、広告宣伝要素が付加された、又は、広告宣伝要素を有するダンボールと、ダンボールに取り付けられたアルミフレームとを備えた広告宣伝媒体であって、アルミフレームに設けた連結部を用いて、複数の広告宣伝媒体を連結した設置物を構築自在に構成されている。
【０００８】
第２の考案は、第１の考案において、ダンボールは、ダンボールパネルであり、ダンボールパネルの外周にアルミフレームが取り付けられ、ダンボールパネルの少なくとも片面に、広告宣伝要素として画像（広告用画像）が印刷されている、又は、広告宣伝要素として構造物（広告用構造物）が付加されている。
【０００９】
第３の考案は、第２の考案において、画像は、インクジェット方式で印刷されている。
【００１０】
第４の考案は、第１乃至第３の何れか１つの考案において、連結部として、オス側連結部とメス側連結部とが準備され、当該広告宣伝媒体にはオス側連結部又はメス側連結部の一方が設けられ、当該広告宣伝媒体に連結される他の広告宣伝媒体にはオス側連結部又はメス側連結部の他方が設けられ、連結部は、オス側連結部をメス側連結部に嵌め込む１つの作業によって連結状態となるワンタッチ連結式に構成されている。
【００１１】
第５の考案は、第４の考案において、アルミフレームは、ダンボールが嵌め込まれる嵌合溝が形成された第１フレームと、第１フレームに取り付けられた中空構造の第２フレームとを備え、第２フレームには、中空の内部空間に繋がる連結口がメス側連結部として形成され、オス側連結部は、連結口を通じて内部空間に挿入されて、第２フレームにおける連結口の周囲に引っ掛かるフックである。
【００１２】
第６の考案は、第１乃至第５の何れか１つの考案において、アルミフレームには、ダンボールが嵌め込まれる嵌合溝が形成され、嵌合溝では、アルミフレームとダンボールとの間にスペーサーが設けられている。
【００１３】
第７の考案は、第１乃至第６の何れか１つの考案において、ダンボールには、防炎性を有するダンボールが用いられている。
【考案の効果】
【００１４】
第１の考案では、広告宣伝媒体がダンボールにアルミフレームを取り付けた簡単な構造である。そして、アルミフレームに設けた連結部を用いて、複数の広告宣伝媒体を連結した設置物を構築自在である。第１の考案によれば、連結部の形成位置や組合せなどに応じて、様々な形態の設置物を構築可能な広告宣伝媒体を提供することができる。
【００１５】
また、第２の考案では、広告宣伝媒体が、ダンボールパネルにアルミフレームを取り付けた簡単な構造のパネルであり、複数の広告宣伝媒体（パネル）を連結して様々な形態の設置物を構築可能である。
【００１６】
また、第３の考案では、インクジェット方式で広告用画像を印刷するため、従来にはない鮮やかな画像が印刷された広告宣伝媒体用のパネルを提供することができる。
【００１７】
また、第４の考案では、連結部がワンタッチ連結式に構成されているため、設置物を手軽に構築したり分解したりすることができる。
【００１８】
また、第５の考案では、アルミフレームが第１フレームと第２フレームから構成されている。ここで、ダンボールが嵌め込まれる嵌合溝が形成された第１フレームだけでアルミフレームを構成した場合、連結部のフックを挿入する空間を第１フレームに形成することが容易ではない。それに対し、第５の考案では、嵌合溝が形成された第１フレームに中空構造の第２フレームを組み合わせているため、フックを挿入する空間として第２フレームの内部空間を利用できる。従って、ダンボールが嵌め込まれるアルミフレームに、ワンタッチ連結式の連結部を容易に設けることができる。
【００１９】
また、第６の考案では、嵌合溝においてアルミフレームとダンボールとの間にスペーサーを設けることで、嵌合溝の幅に対しダンボールの厚みが小さい場合でも、嵌合溝にダンボールを容易に固定することができる。
【００２０】
また、第７の考案では、防炎性を有するダンボールを用いているため、不慮の事故などにより広告宣伝媒体が燃えることを防止することができる。
【図面の簡単な説明】
【００２１】
【図１】実施形態に係るパーティションの正面図
【図２】アルミフレームの断面構造を示す斜視図
【図３】（ａ）アルミフレームに設けられたオス側連結部の斜視図、（ｂ）アルミフレームに設けられたメス側連結部の斜視図
【図４】アングルなどが取り付けられた展示ブースの斜視図
【図５】パーティション以外の広告宣伝媒体の一例を示す斜視図
【図６】パーティション以外の広告宣伝媒体の他の一例を示す斜視図
【図７】インクジェット式の印刷が施されたパーティションを示す図
【考案を実施するための形態】
【００２２】
以下、図１−図７を参照しながら、本考案の実施形態を詳細に説明する。なお、以下の実施形態は、本考案の一例であって、本考案、その適用物、あるいはその用途の範囲を制限することを意図するものではない。
【００２３】
［１．広告宣伝媒体の構成について］
本実施形態は、ダンボール１１とアルミフレーム１２とを組み合わせた、軽量な広告宣伝媒体１０である。広告宣伝媒体１０は、後述する連結部２６を用いて、複数の広告宣伝媒体１０を連結した設置物（展示ブース、展示台、スペース、壁面など）を構築自在に構成されている。以下では、本実施形態に係る広告宣伝媒体１０の一例として、広告用画像（商品やサービスを広告宣伝するための画像、広告宣伝のための装飾画像など）が印刷されたパーティション１０について説明する。
【００２４】
パーティション１０は、複数枚を用いて展示ブース２０（図４参照）の構築に用いられる間仕切りパネルである。各パーティション１０は、図１に示すように、略矩形のダンボールパネル１１（パネル本体）と、ダンボールパネル１１の外周に全周に亘って取り付けられた略矩形のアルミフレーム１２とを備えている。なお、図１は、３枚のパーティション１０を示している。図１では、パーティション１０のうちダンボールパネル１１に斜めハッチングを付けている。
【００２５】
パーティション１０ではダンボールパネル１１に広告宣伝要素が付加されている。本実施形態では、ダンボールパネル１１の片面又は両面に、広告宣伝要素として上述の広告用画像が印刷されている。展示ブース２０はポスターや展示パネルなどの掲示物を設けなくても、展示ブース２０自体が広告宣伝媒体になる。なお、パーティション１０に対して、広告用画像を印刷する以外に、ダンボール素材又は異素材などを用いた広告用構造物（例えばポスター、パネル、装飾物など）を広告宣伝要素として付加することもできる。
【００２６】
ダンボールパネル１１は、２枚のライナー１１ａによって中芯１１ｂが挟まれたダンボールである。ダンボールパネル１１には、中芯１１ｂの厚みが比較的大きいダンボールが用いられている。ダンボールパネル１１におけるライナー１１ａの外面には、インクジェット方式の画像印刷を行うためにラミネートフィルムが積層されており、このラミネートフィルム上にインクジェット方式で広告用画像が印刷されている。ラミネートフィルムの材料としては、ＰＰ（ポリプロピレン）、ＰＶＣ（塩化ビニル）、又はＰＥＴ（ポリプロピレン）などを用いることができる。本実施形態によれば、インクジェット方式の印刷により、従来にはない鮮やかな画像が印刷された広告宣伝用のパーティション１０を提供することができる（図７参照）。
【００２７】
また、ダンボールパネル１１には、防炎性を有するダンボール（以下、「防炎ダンボール」という。）が用いられている。防炎ダンボールは、防炎加工が施されたダンボール（例えば、難燃剤を含侵させた防炎紙をライナーに用いたダンボール）であり、日本防炎協会の認定を受けたものを用いることができる。。また、防炎ダンボールの使用に加えて又は防炎ダンボールを使用する代わりに、広告用画像の印刷に難燃性インキを用いてもよい。本実施形態によれば、不慮の事故などによりパーティション１０が燃えることを防止することができる。また、ダンボールパネル１１を覆うように、防炎性を有する透明シート（例えば、塩化ビニルのシート）をダンボールパネル１１の主面に重ねてもよい。例えば、透明シートの縁部は、アルミフレーム１２における後述の嵌合溝２１ａに入れられて取り付けられる。この場合、ダンボールパネル１１の主面を保護する保護シートとしても機能する。
【００２８】
アルミフレーム１２は、ダンボールパネル１１の外周部の保護用に設けられており、さらに４隅に弾力性がある保護用カバー１３（ゴム製カバーなど）が取り付けられている。アルミフレーム１２は、図２に示すように、ダンボールパネル１１が嵌め込まれる内側フレーム２１と、内側フレーム２１の外側に設けられた外側フレーム２２とを備えている。内側フレーム２１及び外側フレーム２２は、ともに矩形のアルミフレームである。外側フレーム２２は、内側フレーム２１よりも一回り大きい。内側フレーム２１及び外側フレーム２２は、後述する内外連結機構２５によって互いに連結されている。
【００２９】
内側フレーム２１は、断面視でコ字状に形成されている。内側フレーム２１の内側は、ダンボールパネル１１の縁部が嵌め込まれる嵌合溝２１ａとなる。嵌合溝２１ａは、内側フレーム２１の全周に亘って形成されている。ここで、ダンボールパネル１１の厚さは、嵌合溝２１ａの幅（図２における縦方向の内寸法）よりも小さい。嵌合溝２１ａでは、内側フレーム２１とダンボールパネル１１との間に、略コ字状のスペーサー１５が設けられている。本実施形態では、嵌合溝の幅１２ａに対しダンボールパネル１１の厚みが小さい場合でも、嵌合溝２１ａにダンボールパネル１１を容易に固定することができる。
【００３０】
外側フレーム２２は、断面形状が略矩形で中空構造の枠材である。外側フレーム２２の厚さ（図２における縦方向の寸法）は、内側フレーム２１の厚さとほぼ同じである。アルミフレーム１２では表側も裏側も、内側フレーム２１と外側フレーム２２がほぼ面一になっている。
【００３１】
続いて、内側フレーム２１と外側フレーム２２とを連結する内外連結機構２５について説明する。内外連結機構２５は、内側フレーム２１の外周面と外側フレーム２２の内周面とに設けられたオスメス構造の連結機構である。内側フレーム２１の外周面には、オス側の連結用突起２５ａが形成されている。外側フレーム２２の内周面には、メス側の連結用凹部２５ｂが形成されている。連結用突起２５ａと連結用凹部２５ｂともに、辺に沿ってある程度の長さに亘って形成されている。
【００３２】
連結用突起２５ａは、先端側に頭部が形成されている。連結用凹部２５ｂは、開口部分の幅がその奥側より狭い略Ｃ字状の断面形状を有する。連結用凹部２５ｂの開口部分の幅は、連結用突起２５ａの付け根よりも大きく頭部の幅よりも小さい。内側フレーム２１と外側フレーム２２を連結する際は、連結用凹部２５ｂの一端側から連結用突起２５ａをスライドさせて挿入する。連結用凹部２５ｂに連結用突起２５ａを挿入した状態では、内外方向の動きが拘束される。
【００３３】
また、外側フレーム２２には、図３に示すように、パーティション１０同士の連結に用いる連結部２６が設けられている。連結部２６は、連結し合う２枚のパーティション１０において各外側フレーム２２の側辺（高さ方向に延びる辺）に設けられたオスメス構造の連結機構である。連結部２６としては、オス側連結部２６ａとメス側連結部２６ｂとが準備されている。オス側連結部２６ａ又はメス側連結部２６ｂの一方が設けられたパーティション１０と、オス側連結部２６ａ又はメス側連結部２６ｂの他方が設けられたパーティション１０とが連結可能となっている。オス側連結部２６ａとメス側連結部２６ｂは、オス側連結部２６ａをメス側連結部２６ｂに嵌め込む１つの作業によって連結状態となるワンタッチ連結式に構成されている。
【００３４】
本実施形態では、オス側連結部２６ａが、外側フレーム２２の側辺に取り付けられたフック２６ａ（図３（ａ）参照）である。フック２６ａは、下向きのフックである。メス側連結部２６ｂは、外側フレーム２２の側辺に形成された連結口２６ｂ（図３（ｂ）参照）である。連結部２６は、フック２６ａを先端側から連結口２６ｂに嵌め込む１つの作業によって連結状態となる。フック２６ａは、連結口２６ｂを通じて外側フレーム２２の内部空間に挿入されて、外側フレーム２２における連結口２６ｂの周囲に引っ掛かる。また、連結部２６は、フック２６ａを連結口２６ｂから引き抜く１つの作業によって分離状態となる。
【００３５】
各パーティション１０には、連結対象の他のパーティション１０に応じて、オス側連結部２６ａ又はメス側連結部２６ｂの少なくとも一方が設けられている。例えば、図１に示す左側のパーティション１０は、右側の側辺にオス側連結部２６ａが設けられている。図１に示す真ん中のパーティション１０は、左側の側辺にメス側連結部２６ｂが設けられ、右側の側辺にオス側連結部２６ａが設けられている。図１に示す右側のパーティション１０は、左側の側辺にメス側連結部２６ｂが設けられている。なお、外側フレーム２２の側辺には、オス側連結部２６ａ又はメス側連結部２６ｂが、高さ方向に間隔を開けて２つ設けられている。但し、１つの側辺に設けるオス側連結部２６ａ又はメス側連結部２６ｂの個数は２つに限定されない。
【００３６】
図１に示すパーティション１０では、オス側連結部２６ａ及びメス側連結部２６ｂともに外側フレーム２２の外周面に設けられている。この場合、平面視において同一線上にパーティション１０を連結することができる。パーティション１０を垂直（９０°）に連結する場合、一方のパーティション１０の外側フレーム２２の前面側又は背面側にオス側連結部２６ａ又はメス側連結部２６ｂを設ける。本実施形態では、外側フレーム２２においてどちらの側に連結部２６を設けるかによって、直線や９０°などにパーティション１０を連結することができる。
【００３７】
［４．実施形態の効果など］
本実施形態では、パーティション１０がダンボールパネル１１にアルミフレーム１２を取り付けた簡単な構造である。そして、アルミフレーム１２に設けた連結部２６を用いて、複数のパーティション１０を連結した展示ブース２０を構築自在である。本実施形態によれば、連結部２６の位置や組合せなどに応じて、様々な形態の展示ブース２０を構築することができる。また、連結部２６がワンタッチ連結式に構成されているため、工具を用いることなく、展示ブース２０を手軽に構築したり分解したりすることができる。
【００３８】
また、本実施形態では、嵌合溝２１ａが形成された内側フレーム２１に中空構造の外側フレーム２２を組み合わせているため、フック２６ａを挿入する空間として外側フレーム２２の内部空間を利用できる。従って、ダンボールパネル１１が嵌め込まれるアルミフレーム１２に、ワンタッチ連結式の連結部２６を容易に設けることができる。
【００３９】
また、本実施形態では、ダンボールパネル１１を保護するために、ダンボールパネル１１の外周にアルミフレーム１２が取り付けられているため、展示ブース２０の構築や分解などの際にパーティション１０が損傷しにくく、パーティション１０を繰り返し使用することができる。
【００４０】
また、本実施形態では、分解した各パーティション１０を薄型の収納箱にコンパクトに収納することができ、高さ方向にスペースを取ることなく平面でパーティション１０の保管や輸送を行うことができる。
【００４１】
また、展示ブース２０を構成する各パーティション１０に、展示ブース２０における組立位置（配置位置）を示す情報（数字や記号など）を記入することで、作業者は、同じ組立位置に同じ広告用画像が配置された展示ブース２０を容易に再現することができる。この場合に、組立平面図などの設計図を準備することでさらに容易に展示ブース２０を再現することができる。
【００４２】
例えば、展示ブース２０は、図４に示すように、斜めに延びるアングル３１を設けて補強してもよい。また、間隔を開けて設けられた２枚のパーティション１０（９０°方向が異なるパーティション１０）の間に、これらの上面の端を接続するアングル３２を設けて、そのアングル３２に小型パネル３３（例えば、ＰＯＰ用のパネル）を固定してもよい。小型パネル３３には、ダンボールパネルの外周部分に枠材が取り付けられたパネルを用いることができる。また、間隔を開けて設けられた別の２枚のパーティション１０（９０°方向が異なるパーティション１０）の間に、これらの上面の端を接続するカーテンレール３４を設けてもよい。アングル３１，３２やカーテンレール３４はパーティション１０の上面にねじ止めされる。なお、図４−６では、パーティション１０のうちダンボールパネル１１にハッチングを付けている。
【００４３】
また、本実施形態では、パーティション１０以外の他の部品を活用するなどして、設計に応じた様々な形状を自在に創りだすことができる。この場合、連結部２６以外の連結方法を用いてもよいし、天面や床面に新たな広告宣伝媒体を展開したりしてもよい。例えば、複数の広告宣伝媒体１０を連結することによって、図５に示す展示台４１（ディスプレイ台）、図７に示す展示棚４２、テーブルなどの家具、什器（例えば、店舗用什器）、ショーケース、等身大スタンド、リーフレットスタンド、イーゼル、スタンドサイン、又はＰＯＰ用構造物などの設置物を構成してもよい。
【００４４】
また、本実施形態では、アルミフレーム１２以外のダンボール１１部分は、自由に加工することができる。ダンボールをカットしたり、ダンボール同士を貼り合せたり、ダンボールに穴を開けてその穴に別パーツ（広告用構造物）を差し込んだりするなどの加工を施すことにより、様々な形態の広告宣伝媒体１０を作成することができる。
【００４５】
［５．その他の実施形態］
上述の実施形態において、ダンボール１１自体が広告宣伝要素を有していてもよい。例えば、商品の立体形状を模したダンボール１１に、そのダンボール１１を支持するアルミフレーム１２を取り付けて広告宣伝媒体１０としてもよい。
【００４６】
上述の実施形態において、パーティション１０同士を縦方向に連結できるように、外側フレーム２２の上辺又は下辺に連結部２６を設けてもよい。
【産業上の利用可能性】
【００４７】
本考案は、広告宣伝要素を有する広告宣伝媒体等に適用可能である。
【符号の説明】
【００４８】
１０    パーティション（広告宣伝媒体）
１１    ダンボールパネル（ダンボール）
１２    アルミフレーム
２１    内側フレーム（第１フレーム）
２１ａ  嵌合溝
２２    外側フレーム（第２フレーム）
２６    連結部
２６ａ  フック（オス側連結部）
２６ｂ  連結口（メス側連結部）
【図１】
0003212411.tif 000003
【図２】
0003212411.tif 000004
【図３】
0003212411.tif 000005
【図４】
0003212411.tif 000006
【図５】
0003212411.tif 000007
【図６】
0003212411.tif 000008
【図７】
0003212411.tif 000009